(57)【特許請求の範囲】
【請求項１】
中心に穴のないマスターディスクと中心に中心穴が設けられたスレーブディスクとを対面密着させてマスターディスクに記録された転写情報をスレーブディスクに磁気転写する磁気転写方法において、
前記スレーブディスクを保持すると共に前記中心穴に開口する中空部を有し、前記中空部に吸排気を及ぼすように開口する吸排気口を備えたスレーブディスク保持手段によって保持されたスレーブディスクとマスターディスクとを対面当接させ、前記吸排気口から真空吸引することによりスレーブディスクにマスターディスクを密着させた状態で磁気転写を行った後、吸排気口からの真空吸引を圧空供給に切り替えてスレーブディスクとマスターディスクとの密着を解除し、圧空供給による前記中空部の圧力がディスクの振動を発生させる流量となる圧力より低い所定の圧力になったとき、マスターディスクとスレーブディスクとを引き離すことを特徴とする磁気転写方法。
【請求項２】
圧空供給による前記中空部の圧力が、ディスクの振動を発生させる流量となる圧力より低い所定の圧力になったとき、圧空供給を停止する請求項１記載の磁気転写方法。
【請求項３】
中心に穴のないマスターディスクと中心に中心穴が設けられたスレーブディスクとを対面密着させてマスターディスクに記録された転写情報をスレーブディスクに磁気転写する磁気転写装置において、
前記スレーブディスクを保持すると共に前記中心穴に開口する中空部を有し、前記中空部に吸排気を及ぼすように開口する吸排気口を備えたスレーブディスク保持手段と、前記マスターディスクを保持するマスターディスク保持手段と、マスターディスク保持手段またはスレーブディスク保持手段をマスターディスクとスレーブディスクとが対面当接する方向に進退移動させる進退駆動手段と、マスターディスクに記録された転写情報をスレーブディスクに磁気転写する磁気転写手段と、前記吸排気口から前記中空部に真空吸引することによりスレーブディスクにマスターディスクを密着させる真空吸引手段と、前記吸排気口から前記中空部に圧空を放出することによりスレーブディスクとマスターディスクとの密着を解除する圧空供給手段と、前記圧空供給手段による圧空供給による前記中空部の圧力を検出する圧力検出手段と、前記圧力検出手段からの圧力情報が、ディスクの振動を発生させる流量となる圧力より低い所定の圧力になったときマスターディスクとスレーブディスクとを引き離す方向に前記進退駆動手段を動作させる制御手段とを備えてなることを特徴とする磁気転写装置。
【請求項４】
制御手段は圧力検出手段からの圧力情報が、ディスクの振動を発生させる流量となる圧力より低い所定の圧力になったとき圧空供給手段からの圧空供給を停止させる請求項３記載の磁気転写装置。
【請求項５】
マスターディスク保持手段に、スレーブディスクとの対面方向に緩衝効果を有する緩衝手段が設けられてなる請求項３または４記載の磁気転写装置。
【発明の詳細な説明】
【０００１】
【発明の属する技術分野】
本発明は、ハードディスク装置やフロッピーディスク装置等に用いられる磁気ディスクにマスターディスクからフォーマット情報等の磁気記録を転写する磁気転写装置に関するものである。
【０００２】
【従来の技術】
磁気記録技術の進歩により磁気記録装置の大容量化あるいは小型化が進展している。中でもハードディスク装置の高密度記録による記録容量の向上は目ざましいものがある。このハードディスク装置は、複数枚の磁気ディスクと、各磁気ディスクそれぞれに対応する磁気ヘッドと、記録再生のための電子回路とを備えて構成される。このハードディスク装置の製造工程では、磁気ディスクにフォーマット情報、アドレス情報等の磁気信号が書き込まれる。この磁気信号の書き込みは、ハードディスク装置自身の書き込みヘッドを用いることもできるが、磁気信号を記録したマスターディスクを用いて転写によりハードディスクに一括して磁気信号を記録することができ、効率的な磁気転写が可能である。磁気ディスクをスレーブディスクとしてマスターディスクから磁気信号をスレーブディスクに転写する磁気転写装置の従来構成を図３に示す。
【０００３】
図３において、直進スライダー６上に搭載された保持具４は吸引口４ａから真空吸引することによってマスターディスクを保持している。吸着ヘッド３は保持用吸引口３ａから真空吸引することによってスレーブディスク１を保持してマスターディスク２との対面位置にスレーブディスク１を移動させる。直進スライダー６により保持具４を進出移動させてマスターディスク２をスレーブディスク１に対面当接させたとき、吸着ヘッド３に設けられた吸排気口３ｂから真空吸引すると、スレーブディスク１の中心穴１ａから真空吸引力がマスターディスク２に及んでマスターディスク２とスレーブディスク１とが対面密着する。この真空吸引を外部磁場の印加による磁気転写が終了するまで維持することにより密着状態で良好な磁気転写がなされる。この磁気転写が終了した後、吸排気口３ｂからの真空吸引を圧空放出に切り替えると、中心穴１ａから放出される圧空がスレーブディスク１とマスターディスク２との間に侵入して密着状態から切り離すことができ、直進スライダー６により保持具４を後退移動させてマスターディスク２をスレーブディスク１から分離させる。
【０００４】
【発明が解決しようとする課題】
上記従来構成において、スレーブディスク１とマスターディスク２とを密着状態から切り離すために圧空放出すると、圧空がスレーブディスク１とマスターディスク２との間を流れるときにベンチェリー効果により圧空の粗密が発生し、ディスクが振動する現象が生じて、マスターディスク２にダメージを与える問題点があった。
【０００５】
本発明が目的とするところは、マスターディスクとスレーブディスクとの密着状態からの切り離し時の振動発生を防止する磁気転写装置を提供することにある。
【０００６】
【課題を解決するための手段】
上記目的を達成するための本願の第1発明は、中心に穴のないマスターディスクと中心に中心穴が設けられたスレーブディスクとを対面密着させてマスターディスクに記録された転写情報をスレーブディスクに磁気転写する磁気転写方法において、前記スレーブディスクを保持すると共に前記中心穴に開口する中空部を有し、前記中空部に開口する吸排気口を備えたスレーブディスク保持手段によって保持されたスレーブディスクとマスターディスクとを対面当接させ、前記吸排気口から真空吸引することによりスレーブディスクにマスターディスクを密着させた状態で磁気転写を行った後、吸排気口からの真空吸引を圧空供給に切り替えてスレーブディスクとマスターディスクとの密着を解除し、圧空供給による前記中空部の圧力がディスクの振動を発生させる流量となる圧力より低い所定の圧力になったとき、マスターディスクとスレーブディスクとを引き離すことを特徴とするもので、吸排気口からの真空吸引によりスレーブディスクとマスターディスクとを密着させた状態で良好な磁気転写がなされ、磁気転写後にスレーブディスク保持手段における中空部に吸排気口から圧空を放出することによりスレーブディスクとマスターディスクとの密着を解除することができる。この圧空供給による密着の解除はスレーブディスクとマスターディスクとの間に気体が侵入することによってなされるが、圧空供給圧力の上昇により侵入する気体の流量が増加するとディスクに振動が発生するので、圧空供給圧力が振動を発生させる流量となる圧力より低い所定の圧力になったときスレーブディスクとマスターディスクとを引き離すので振動の発生が防止できる。
【０００７】
上記磁気転写方法において、圧空供給圧力がディスクの振動を発生させる流量となる圧力より低い所定の圧力になったとき、圧空供給を停止することによって、スレーブディスクとマスターディスクとの間に侵入する気体の流量がディスクに振動を発生させる流量となる圧空供給圧力になる以前に圧空供給を停止させ、振動の発生を防止することができる。
【０００８】
また、本願の第２発明は、中心に穴のないマスターディスクと中心に中心穴が設けられたスレーブディスクとを対面密着させてマスターディスクに記録された転写情報をスレーブディスクに磁気転写する磁気転写装置において、前記スレーブディスクを保持すると共に前記中心穴に開口する中空部を有し、前記中空部に吸排気を及ぼすように開口する吸排気口を備えたスレーブディスク保持手段と、前記マスターディスクを保持するマスターディスク保持手段と、マスターディスク保持手段またはスレーブディスク保持手段をマスターディスクとスレーブディスクとが対面当接する方向に進退移動させる進退駆動手段と、マスターディスクに記録された転写情報をスレーブディスクに磁気転写する磁気転写手段と、前記吸排気口から前記中空部に真空吸引することによりスレーブディスクにマスターディスクを密着させる真空吸引手段と、前記吸排気口から前記中空部に圧空を放出することによりスレーブディスクとマスターディスクとの密着を解除する圧空供給手段と、前記圧空供給手段による圧空供給による前記中空部の圧力を検出する圧力検出手段と、前記圧力検出手段からの圧力情報が、ディスクの振動を発生させる流量となる圧力より低い所定の圧力になったときマスターディスクとスレーブディスクとを引き離す方向に前記進退駆動手段を動作させる制御手段とを備えてなることを特徴とするもので、スレーブディスク保持手段によって保持されたスレーブディスクとマスターディスクとを進退駆動手段によって対面当接させ、真空吸引手段により吸排気口から前記中空部に真空吸引することによりスレーブディスクにマスターディスクを密着させた状態にして、磁気転写手段によって磁気転写を行った後、吸排気口からの真空吸引を前記中空部への圧空供給に切り替えてスレーブディスクとマスターディスクとの密着を解除し、圧力検出手段によって圧空供給圧力が所定値以上になったことが検出されたとき、制御手段は進退駆動手段を動作させてマスターディスクとスレーブディスクとを引き離す。吸排気口からの真空吸引によりスレーブディスクとマスターディスクとを密着させた状態で良好な磁気転写がなされ、磁気転写後に吸排気口から圧空を放出することによりスレーブディスクとマスターディスクとの密着を解除することができる。この圧空供給による密着の解除はスレーブディスクとマスターディスクとの間に気体が侵入することによってなされるが、圧空供給圧力の上昇により侵入する気体の流量が増加するとディスクに振動が発生するので、圧空供給圧力がディスクの振動を発生させる流量となる圧力より低い所定の圧力になったときスレーブディスクとマスターディスクとを引き離すので振動の発生が防止できる。
【０００９】
上記構成において、制御手段は圧力検出手段からの圧力情報が、ディスクの振動を発生させる流量となる圧力より低い所定の圧力になったとき圧空供給手段からの圧空供給を停止させる制御を行うことにより、スレーブディスクとマスターディスクとの間に侵入する気体の流量がディスクに振動を発生させる流量となる圧空供給圧力になる以前に圧空供給を停止させ、振動の発生を防止することができる。
【００１０】
また、マスターディスク保持手段に、スレーブディスクとの対面方向に緩衝効果を有する緩衝手段を設けることにより、マスターディスク保持手段にダンパー効果が働いて振動の発生を抑制することができる。また、緩衝手段はスレーブディスクとの当接時の衝撃によりマスターディスクが損傷を受けることを抑制することができる。
【００１１】
【発明の実施の形態】
以下、添付図面を参照して本発明の実施形態について説明し、本発明の理解に供する。尚、以下に示す実施形態は本発明を具体化した一例であって、本発明の技術的範囲を限定するものではない。
【００１２】
本実施形態は、ハードディスク装置に適用される磁気ディスクをスレーブディスク１として、転写情報が記録されたマスターディスク２からスレーブディスク１に前記転写情報を磁気転写する構成について示すものである。尚、従来構成と共通する構成要素には同一の符号を付している。
【００１３】
図１において、直進スライダー（進退駆動手段）６に取り付けられた保持具（マスターディスク保持手段）４は、その吸引口４ａから真空吸引することによってマスターディスク２を吸着保持している。また、スレーブディスク１は中心に中心穴１ａが形成され、この中心穴１ａに開口する中空部３ｃが形成された吸着ヘッド（スレーブディスク保持手段）３により、その吸着用吸引口３ａから真空吸引されることによって吸着保持される。
【００１４】
スレーブディスク１を保持した吸着ヘッド３が、図１に示すようにスレーブディスク１をマスターディスク２と対面する所定位置に移動したとき、直進スライダー６は保持具４を進出移動させてマスターディスク２をスレーブディスク１に対面当接させる。マスターディスク２の進出移動が完了してスレーブディスク１に対面当接したとき、図示しない真空吸引手段に接続された吸引用電磁弁２１を開くと、真空吸引力は吸排気口３ｂから前記中空部３ｃに及んでスレーブディスク１の中心穴１ａからマスターディスク２を吸引するので、マスターディスク２はスレーブディスク１に密着する。この真空吸引は磁気転写に要する所定時間維持されるので、スレーブディスク１とマスターディスク２とが密着した状態で外部磁場を加えることにより、マスターディスク２に記録された転写情報はスレーブディスク１に磁気転写される。
【００１５】
所定時間経過の後、吸引用電磁弁２１を閉じて真空吸引を停止させると同時に、図示しない圧空供給手段に接続された開放用電磁弁２２を開くと、圧空が吸排気口３ｂから中空部３ｃに供給され、圧空はスレーブディスク１の中心穴１ａからスレーブディスク１とマスターディスク２との間に侵入し、スレーブディスク１とマスターディスク２とを密着状態から切り離す。この圧空供給圧力は、供給開始から安定状態に達するまでに所要時間を要し、従来技術のようにスレーブディスク１とマスターディスク２との切り離しを充分に行うために圧空の供給時間を長くとると、その間に圧空圧力が上昇してスレーブディスク１とマスターディスク２との間に流れる流量が増加し、前述したようにベンチェリー効果によるディスクの振動が発生する。
【００１６】
本実施形態においては、圧空供給は短時間に止め、圧空供給によりスレーブディスク１とマスターディスク２との密着が開放されたとき、直進スライダー６の駆動によりマスターディスク２をスレーブディスク１から引き離す。この直進スライダー６の駆動タイミングは、図１に示すように圧空供給路に配設された圧力スイッチ２３により、ディスクの振動を発生させる流量となる圧空圧力より低い所定の圧空圧力を検出して、圧力スイッチ２３により所定の圧空圧力が検出されたとき、制御部２５の制御により直進スライダー６を後退移動させる。また、圧力スイッチ２３により所定の圧空圧力が検出されたとき、制御部２５によって開放用電磁弁２２を閉じるように制御してもよく、振動が発生する流量になる以前に圧空供給が停止されるので、その後に直進スライダー６により保持具４を後退移動させ、スレーブディスク１とマスターディスク２とを分離させるように構成することもできる。
【００１７】
以上説明した磁気転写装置における保持具４は、図２に示すように緩衝機構を設けて構成することができる。図２に示す保持具２４は、マスターディスク２を吸着する吸着部３０から吸引口２４ａに向けて延出する筒状部３１が固定部３２に摺動自在に支持され、吸着部３０と固定部３２との間にバネ３３（緩衝手段）が配設されている。この保持具２４の構成によりマスターディスク２にダンパー
効果が働き、振動が生じ難くなる。この保持具２４を図１に示した磁気転写装置に適用することによって、ダンパー効果が加わってディスクの振動をより効果的に防止することができる。
【００１８】
尚、前記バネ３３はエアダンパーや弾性材等によって構成しても同様の効果を得ることができる。また、保持具２４の緩衝作用は、マスターディスク２をスレーブディスク１に当接させたときの衝撃が緩和され、衝撃によりマスターディスク２にダメージが生じることが防止できる。
【００１９】
【発明の効果】
以上の説明の通り本発明によれば、真空吸引によりマスターディスクとスレーブディスクとを密着させて高品質の磁気転写ができ、圧空供給により密着状態から開放することができ、マスターディスクに損傷を与えることがなく、圧空供給に伴って発生するディスクの振動は簡単な構成によって防止することができる。
【図面の簡単な説明】
【図１】  実施形態に係る磁気転写装置の要部構成を示す構成図である。
【図２】  保持具の実施態様を示す構成図である。
【図３】  従来技術に係る磁気転写装置の要部構成を示す構成図である。
【符号の説明】
１  スレーブディスク
１ａ  中心穴
２  マスターディスク
３  吸着ヘッド（スレーブディスク保持手段）
４、２４  保持具（マスターディスク保持手段）
６  直進スライダー（進退駆動手段）
２１  吸引用電磁弁
２２  開放用電磁弁
２３  圧力スイッチ（圧力検出手段）
２５  制御部（制御手段）
【図１】
0004038323.tif 000002
【図２】
0004038323.tif 000003
【図３】
0004038323.tif 000004